(57)【要約】【課題】  ストロボ装置を内蔵してバウンス撮影を可能としているにも拘わらずコストダウンや小型化を図る上で有利な撮像装置を提供する。【解決手段】  反射機構２０は、ストロボ窓１１の下方におけるケース１０２の前面箇所に設けられ、反射ミラー２２と、第１アーム２４と、第２アーム２６とを有している。（Ａ）に示すように、第１、第２アーム２４、２６を揺動させケース１０２の前面に重ね合わせることによって、反射ミラー２２は前記補助光の光路上から退避する退避位置に移動される。（Ｂ）に示すように、第１、第２アーム２４、２６を上方に揺動させることによって、反射ミラー２２は、前記補助光の光路上に位置し前記補助光を被写体から離れた方向（上方）に向けて反射するバウンス位置に移動される。【選択図】        図４
2005070303.tif 000002
【特許請求の範囲】
【請求項１】
外装を構成するケースと、
前記ケースに設けられた撮像部と、
前記ケースに設けられ被写体の像を前記撮像部に結像する撮影光学系と、
前記ケース内に設けられ補助光を前記被写体に向けて照射するストロボ装置とを有する撮像装置であって、
前記補助光を反射させる反射ミラーを含んだ反射機構が設けられ、
前記反射機構は、前記反射ミラーを前記補助光の光路上に位置させて前記補助光を前記被写体から離れた方向に向けて反射するバウンス位置と、前記補助光の光路上から退避する退避位置とにわたって移動させる移動機構を備えている、
ことを特徴とする撮像装置。
【請求項２】
前記ストロボ装置は前記ケースの前面上部のストロボ窓から補助光が照射されるように設けられ、前記反射機構は前記ストロボ窓の下方における前記ケースの前面箇所に設けられていることを特徴とする請求項１記載の撮像装置。
【請求項３】
前記移動機構は、前記ケースに揺動可能に結合された第１アームと、前記第１アームの先端に揺動可能に結合された第２アームとを含んで構成され、前記反射ミラーは前記第２アームに取着されていることを特徴とする請求項１記載の撮像装置。
【請求項４】
前記移動機構は、左右に間隔をおき前記ケースに揺動可能に結合された一対の第１アームと、前記一対の第１アームの先端に揺動可能に結合された第２アームとを含んで構成され、前記反射ミラーは前記第２アームに取着され、前記一対の第１アームの間に開口が設けられ、前記一対の第１アームをケースの上方に起立させた起立状態で前記開口が前記補助光の光路上に位置するように設けられ、前記開口に補助光の性質を変化させるフィルタが着脱可能に設けられていることを特徴とする請求項１記載の撮像装置。
【請求項５】
外装を構成するケースと、
前記ケースに設けられた撮像部と、
前記ケースに設けられ被写体の像を前記撮像部に結像する撮影光学系と、
前記ケース内に設けられ補助光を前記被写体に向けて照射するストロボ装置とを有する撮像装置であって、
前記ストロボ装置は前記ケース内において前記補助光が前記ケースの上方に照射されるように配置され、
前記補助光の反射を可能とした反射ミラーを含む反射機構が前記ケース内で前記ストロボ装置の上方に設けられ、
前記反射機構は、前記反射ミラーを前記補助光の光路上に位置させて前記補助光を前記被写体に向けて反射する通常位置と、前記補助光の光路上から退避させて前記補助光をケースの上方に照射させるバウンス位置とにわたって移動させる移動機構を備えている、
ことを特徴とする撮像装置。
【請求項６】
外装を構成するケースと、
前記ケースに設けられた撮像部と、
前記ケースに設けられ被写体の像を前記撮像部に結像する撮影光学系と、
前記ケース内に設けられ補助光を前記被写体に向けて照射するストロボ装置とを有する撮像装置であって、
前記ストロボ装置は前記ケース内において前記補助光が前記ケースの上方に照射されるように配置され、
前記補助光を前記被写体に向けて反射させる反射機構が前記ケース内で前記ストロボ装置の上方に設けられ、
前記反射機構は、複数の反射面を有する回転体と、前記回転体を回転させる回転機構とで構成され、
前記複数の反射面のうちの少なくとも１つは、光を全反射させる鏡面で形成され、前記複数の反射面のうちの他の少なくとも１つは、光を拡散させる拡散面で構成されている、
ことを特徴とする撮像装置。
【請求項７】
外装を構成するケースと、
前記ケースに設けられた撮像部と、
前記ケースに設けられ被写体の像を前記撮像部に結像する撮影光学系と、
前記ケース内に設けられ補助光を前記被写体に向けて照射するストロボ装置とを有する撮像装置であって、
前記ストロボ装置は前記ケース内において前記補助光が前記ケースの上方に照射されるように配置され、
前記補助光の光路上に、ハーフミラーと液晶素子とを有する光路変換手段が設けられ、
前記ハーフミラーは、その表面で前記補助光のうち一部を反射させ前記被写体に向けて照射させ、前記補助光の残りを前記表面から裏面へ透過させ前記ケースの上方に照射させるように構成され、
前記液晶素子は前記ハーフミラーの裏面側に配設され、
前記液晶素子を、光を透過させる透明状態と、光を透過させない不透明状態とに切り換える液晶駆動回路が設けられている、
ことを特徴とする撮像装置。
【発明の詳細な説明】
【技術分野】
【０００１】
本発明は補助光を照射するストロボ装置を有する撮像装置に関する。
【背景技術】
【０００２】
従来、撮像装置に外付けのストロボ装置を装着して使用する場合、ストロボ装置から直接被写体に補助光が照射されると、被写体に不自然な影が生じたり、露出オーバーとなって被写体の一部が白飛びするといった不具合が生じることがある。
このような不具合を防ぐため、外付けのストロボ装置を被写体から離れた天井や壁面に向け、補助光をこれら天井や壁面に反射させ、間接的に被写体を照射するいわゆるバウンス撮影が行なわれている。
また、ストロボ内蔵式の撮像装置においても、撮像装置に内蔵されているストロボ装置を機械的に動かすことで補助光の照射方向を変化させ、バウンス撮影を可能としたものが提供されている（例えば、特許文献１、２参照）。
【特許文献１】特開２００１−３１１９８７号公報
【特許文献２】特開平９−６１８９９号公報
【発明の開示】
【発明が解決しようとする課題】
【０００３】
しかしながら上述のストロボ内蔵式の撮像装置では、ストロボ装置を機械的に動かすための駆動機構が複雑となり、また、駆動機構が大きなスペースを占有するため、コストダウンや小型化を図る上で不利であった。
本発明はこのような事情に鑑みなされたものであり、ストロボ装置を内蔵してバウンス撮影を可能としているにも拘わらずコストダウンや小型化を図る上で有利な撮像装置を提供することにある。
【課題を解決するための手段】
【０００４】
上述の目的を達成するため、本発明の撮像装置は、外装を構成するケースと、前記ケースに設けられた撮像部と、前記ケースに設けられ被写体の像を前記撮像部に結像する撮影光学系と、前記ケース内に設けられ補助光を前記被写体に向けて照射するストロボ装置とを有する撮像装置であって、前記補助光を反射させる反射ミラーを含んだ反射機構が設けられ、前記反射機構は、前記反射ミラーを前記補助光の光路上に位置させて前記補助光を前記被写体から離れた方向に向けて反射するバウンス位置と、前記補助光の光路上から退避する退避位置とにわたって移動させる移動機構を備えていることを特徴とする。
また、本発明の撮像装置は、外装を構成するケースと、前記ケースに設けられた撮像部と、前記ケースに設けられ被写体の像を前記撮像部に結像する撮影光学系と、前記ケース内に設けられ補助光を前記被写体に向けて照射するストロボ装置とを有する撮像装置であって、前記ストロボ装置は前記ケース内において前記補助光が前記ケースの上方に照射されるように配置され、前記補助光の反射を可能とした反射ミラーを含む反射機構が前記ケース内で前記ストロボ装置の上方に設けられ、前記反射機構は、前記反射ミラーを前記補助光の光路上に位置させて前記補助光を前記被写体に向けて反射する通常位置と、前記補助光の光路上から退避させて前記補助光をケースの上方に照射させるバウンス位置とにわたって移動させる移動機構を備えていることを特徴とする。
また、本発明の撮像装置は、外装を構成するケースと、前記ケースに設けられた撮像部と、前記ケースに設けられ被写体の像を前記撮像部に結像する撮影光学系と、前記ケース内に設けられ補助光を前記被写体に向けて照射するストロボ装置とを有する撮像装置であって、前記ストロボ装置は前記ケース内において前記補助光が前記ケースの上方に照射されるように配置され、前記補助光を前記被写体に向けて反射させる反射機構が前記ケース内で前記ストロボ装置の上方に設けられ、前記反射機構は、複数の反射面を有する回転体と、前記回転体を回転させる回転機構とで構成され、前記複数の反射面のうちの少なくとも１つは、光を全反射させる鏡面で形成され、前記複数の反射面のうちの他の少なくとも１つは、光を拡散させる拡散面で構成されていることを特徴とする。
また、本発明の撮像装置は、外装を構成するケースと、前記ケースに設けられた撮像部と、前記ケースに設けられ被写体の像を前記撮像部に結像する撮影光学系と、前記ケース内に設けられ補助光を前記被写体に向けて照射するストロボ装置とを有する撮像装置であって、前記ストロボ装置は前記ケース内において前記補助光が前記ケースの上方に照射されるように配置され、前記補助光の光路上に、ハーフミラーと液晶素子とを有する光路変換手段が設けられ、前記ハーフミラーは、その表面で前記補助光のうち一部を反射させ前記被写体に向けて照射させ、前記補助光の残りを前記表面から裏面へ透過させ前記ケースの上方に照射させるように構成され、前記液晶素子は前記ハーフミラーの裏面側に配設され、前記液晶素子を、光を透過させる透明状態と、光を透過させない不透明状態とに切り換える液晶駆動回路が設けられていることを特徴とする。
【発明の効果】
【０００５】
そのため、本発明によれば、反射ミラーを補助光の光路上に位置させて補助光を被写体から離れた方向に向けて反射するバウンス位置と、補助光の光路上から退避する退避位置とにわたって移動させる移動機構を設けたので、従来のようにバウンス効果を得るためにストロボ装置を機械的に動かす場合に比べて構造を簡素化でき、部品コストを削減する上で有利となり、また、反射機構は大きなスペースを占有することがないため、撮像装置の小型化を図る上で有利となる。
また、本発明によれば、反射ミラーを補助光の光路上に位置させて前記補助光を前記被写体に向けて反射する通常位置と、前記補助光の光路上から退避させて前記補助光をケースの上方に照射させるバウンス位置とにわたって移動させる移動機構を設けたので、従来のようにバウンス効果を得るためにストロボ装置を機械的に動かす場合に比べて構造を簡素化でき、部品コストを削減する上で有利となり、また、反射機構は大きなスペースを占有することがないため、撮像装置の小型化を図る上で有利となる。また、移動機構を含む反射機構がケース内部に設けられているため、ケースの美観およびデザイン性を高める上で有利となる。
また、本発明によれば、鏡面および拡散面を有する回転体と、回転体を回転させる回転機構とで構成された反射機構を設けたので、ストロボ装置からの補助光を直接被写体に照射して比較的コントラストの強い照明効果を得ることができる状態と、ストロボ装置からの補助光を拡散光として被写体に照射し比較的コントラストの弱いバウンス効果と類似のソフトな照明効果を得ることができる状態との切り換えを簡素な構成で実現することができ、部品コストを削減する上で有利となり、また、回転体および回転機構は大きなスペースを占有することがないため、撮像装置の小型化を図る上で有利となる。また、回転体および回転機構がケース内部に設けられているため、ケースの美観およびデザイン性を高める上で有利となる。
また、本発明によれば、補助光の光路上に、ハーフミラーと液晶素子とを有する光路変換手段を設け、液晶素子を、光を透過させる透明状態と、光を透過させない不透明状態とに切り換えられるように構成したので、ストロボ装置からの補助光を直接被写体に照射する状態と、被写体に対して直接照射される補助光と、バウンスして照射される補助光との双方を同時に発生させる状態とを切り換えることができる。これにより、従来のようにバウンス効果を得るためにストロボ装置を機械的に動かす場合に比べて構造を簡素化でき、部品コストを削減する上で有利となり、また、光路変換手段は大きなスペースを占有することがないため、撮像装置の小型化を図る上で有利となる。また、光路変換手段がケース内部に設けられているため、ケースの美観およびデザイン性を高める上で有利となる。また、被写体に対して直接照射される補助光と、バウンスして照射される補助光との双方を同時に発生させることにより、単なるバウンス撮影では得ることができない新規な撮影効果を得ることができる。
【発明を実施するための最良の形態】
【０００６】
コストダウンや小型化を図るという目的を、反射ミラーをバウンス位置と、補助光の光路上から退避する退避位置とにわたって移動させる移動機構を設けることによって実現した。
【実施例１】
【０００７】
次に本発明の実施例１について図面を参照して説明する。
図１は実施例１の撮像装置を前方から見た斜視図、図２は反射機構の斜視図、図３はストロボ装置の斜視図、図４は撮像装置の動作説明図、図５は撮像装置の制御系を示すブロック図である。
【０００８】
図１に示すように、撮像装置１００は外装を構成するケース１０２を有している。なお、本明細書においてケース１０２の左右はケース１０２を前方から見た状態でいうものとする。
ケース１０２の前面中央には、撮影光学系１０４を収容する鏡筒１０６が設けられ、ケース１０２の前面上部には被写体像を視認するファインダー装置の対物レンズ１０８が設けられている。
ケース１０２の上面の左寄り箇所には、シャッターボタン１１０が設けられている。
ケース１０２の後面には前記ファインダー装置の接眼窓（不図示）、静止画および動画などの画像や文字や記号などが表示されるディスプレイ１１２（図４）、複数の操作スイッチ１１４（図４）などが設けられている。複数の操作スイッチ１１４は、撮像装置１００の電源スイッチ、撮影時および再生時に操作するための各種操作スイッチなどを含んでいる。
【０００９】
図５に示すように、撮像装置１００は、ケース１０２に設けられた撮像部と、ケース１０２に設けられ被写体の像を前記撮像部に結像する撮影光学系１０４とを備えている。本実施例では、撮像装置１００はデジタルカメラであり、前記撮像部はＣＣＤやＣＭＯＳセンサなどの撮像素子１１６で構成されている。
撮像素子１１６で撮像された像は撮像信号として画像処理部１２０に出力され、画像処理部１２０ではこの撮像信号に基づいて画像データが生成され、メモリカードなどの記憶媒体１１８に記録される。また、前記画像データは表示処理部１２２によりディスプレイ１１２に表示される。
さらに、撮像装置１００は、ストロボ装置１０を駆動して補助光を照射させる駆動部１２４、シャッタボタン１１０や操作スイッチ１１４の操作に応じて、画像処理部１２０、表示処理部１２２、駆動部１２４を制御するＣＰＵなどを含む制御部１２６などを備えている。
【００１０】
図１に示すように、ケース１０２の前面上部右寄り箇所にはストロボ装置１０が設けられている。
図３に示すように、ストロボ装置１０は、発光素子１２と、反射鏡１４と、フレネルレンズ１６とを備えている。
発光素子１２は、ケース１０２内部に配設され、駆動部１２４から供給される電流に基づいて補助光を発光するキセノン放電管などから構成され、本実施例ではケース１０２の左右方向に軸状に延在している。
反射鏡１４は、ケース１０２内部に配設され、側方から見て発光素子１２の上方、後方、下方にわたって放物面を描くように延在し、また、前方から見て反射素子１２の左右の側方を覆うように延在することにより、発光素子１２で発光された補助光を反射することでケース１０２の前方に導くように構成されている。なお、図３において反射素子１２の左右の側方を覆う反射鏡１４部分は図示を省略している。
フレネルレンズ１６は、発光素子１２および反射鏡１４の前方でケース１０２の前面に設けられた矩形状のストロボ窓１１に組み込まれ、発光素子１２および反射鏡１４からの補助光をストロボ窓１１からケース１０２の前方に向けて照射するように構成されている。
【００１１】
図２に示すように、反射機構２０は、ストロボ窓１１の下方におけるケース１０２の前面箇所に設けられ、反射ミラー２２と、第１アーム２４と、第２アーム２６とを有している。
第１アーム２４は、２つ設けられ左右方向に間隔をおきヒンジ２５を介してケース１０２に揺動可能に結合されている。
第２アーム２６は、矩形の平板状を呈しその一辺が各第１アーム２４の先端にそれぞれ揺動可能に結合されている。
なお、第１アーム２４とケース１０２との結合箇所（本実施例ではヒンジ２５）および第１アーム２４と第２アーム２６との結合箇所には、これら第１アーム２４や第２アーム２６を揺動させた際にその揺動状態が保持される程度の保持力が付与されている。この保持力は、例えば軸と孔との嵌め合いにより生じる摩擦力や、あるいはクリック機構など、従来公知の様々な構造により付与される。
ヒンジ２５と、２つの第１アーム２４と、第２アーム２６との間に矩形状の開口２４Ａが形成されている。
反射ミラー２２は、矩形の平板状に形成されて２枚設けられ、各反射ミラー２２は第２アーム２６の表面と裏面にそれぞれ取着されている。本実施例では、２枚の反射ミラー２２は共に全反射面として構成され、説明の便宜上第２アーム２６の表面に取着された反射ミラー２２を反射ミラー２２Ａとし、第２アーム２６の裏面に取着された反射ミラー２２を反射ミラー２２Ｂとする。
図１、図４（Ａ）に示すように、第１、第２アーム２４、２６を揺動させケース１０２の前面に重ね合わせることによって、反射ミラー２２は前記補助光の光路上から退避する退避位置に移動される。
また、図４（Ｂ）に示すように、第１、第２アーム２４、２６を重ね合わせた状態でこれら第１、第２アーム２４、２６を上方に揺動させることによって、反射ミラー２２は、前記補助光の光路上に位置し前記補助光を被写体から離れた方向（上方）に向けて反射するバウンス位置に移動される。
本実施例では、第１、第２アーム２４、２６によって特許請求の範囲の移動機構が構成されている。
【００１２】
次に本実施例の撮像装置１００の作用について説明する。
ストロボ装置１０から照射される補助光を被写体に直接照射して撮影する場合には、図４（Ａ）に示すように、反射ミラー２２を前記退避位置に移動させる。
この状態で、シャッターボタン１１０が押下され発光素子１２が発光すると、ストロボ窓１１からフレネルレンズ１６を介して出射された補助光は、ケース１０２の前方に照射され、被写体に直接照射される。
【００１３】
ストロボ装置１０から照射される補助光をバウンスさせて被写体に間接的に照射して撮影する場合には、図４（Ｂ）に示すように、反射ミラー２２を前記バウンス位置に移動させる。これにより、反射ミラー２２Ａがストロボ窓１１に対して斜め上方を向いた姿勢となる。
この状態で、シャッターボタン１１０が押下され発光素子１２が発光すると、ストロボ窓１１からフレネルレンズ１６を介して出射された補助光は、反射ミラー２２Ａによって上方に反射され、該反射された補助光は、いったん天井などに反射されることにより間接光として被写体に照射され、これによりバウンス撮影がなされる。
【００１４】
本実施例によれば、反射ミラー２２を補助光の光路上に位置させて補助光を被写体から離れた方向に向けて反射するバウンス位置と、補助光の光路上から退避する退避位置とにわたって移動させる移動機構を設けたので、従来のようにバウンス効果を得るためにストロボ装置１０を機械的に動かす場合に比べて構造を簡素化でき、部品コストを削減する上で有利となり、また、反射機構２０は大きなスペースを占有することがないため、撮像装置１００の小型化を図る上で有利となる。
【００１５】
なお、ストロボ装置１０は、補助光が撮影光学系１０４から所定距離以上離間した被写体に照射されることを前提として構成されているため、マクロ撮影時のように撮影光学系１０４の直前（たとえば数十ｃｍ程度の距離）に位置した被写体に照射することは困難である。
しかしながら、本実施例では反射機構２０を用いることによってマクロ撮影時においてもストロボ装置１０からの補助光を被写体に照射することができる。
すなわち、図４（Ｃ）に示すように、第１、第２アーム２４、２６を上方に揺動させるとともに、第１、第２アーム２４、２６の間を開くことによって、反射ミラー２２Ｂを前記補助光の光路上に位置させ、反射ミラー２２Ｂをストロボ窓１１に対して斜め下方を向いた姿勢とする。
この状態で、シャッターボタン１１０が押下され発光素子１２が発光すると、ストロボ窓１１からフレネルレンズ１６を介して出射された補助光は、反射ミラー２２Ｂによって下方に反射され、開口２４Ａを介して前記被写体に照射され、これによりストロボ装置１０の補助光を用いたマクロ撮影を行なうことができる。
【実施例２】
【００１６】
次に本発明の実施例２について図面を参照して説明する。
実施例２が実施例１と異なる点は、反射機構２０にフィルタを装着できるようにした点である。
図６は実施例２における反射機構２０の斜視図、図７はフィルタの斜視図、図８はフィルタの使用説明図である。なお、以下では実施例１と同一または同様の部分には同一の符号を付してその説明を省略する。
図８に示すように、一対の第１アーム２４をケース１０２の上方に起立させ、第２アーム２６を一対の第１アーム２４の先端から上方に起立させた起立状態で、開口２４Ａが前記補助光の光路上に位置するように設けられている。
そして、開口２４Ａに補助光の性質を変化させるフィルタ２８が着脱可能に設けられている。
より詳細に説明すると、図６に示すように、反射機構２０の各第１アーム２４には、ケース１０２寄りの箇所と第２アーム２６寄りの箇所との２箇所にフィルタ取付用の取付孔２４Ｂが設けられている。
図７に示すように、フィルタ２８は、開口２４Ａを覆うような矩形板状に形成され補助光を透過するとともに、透過する補助光に色を与えるように着色された光学材料によって構成されたフィルタ本体２８Ａと、フィルタ本体２８Ａの一方の面の両側部に突設され各取付孔２４Ｂに係脱する取付凸部２８Ｂとを備えている。
【００１７】
ストロボ装置１０から照射される補助光を、フィルタ２８を透過させて被写体に照射して撮影する場合には、まず、第１アーム２４の各取付孔２４Ｂにフィルタ２８の各取付凸部２８Ｂを係合させることでフィルタ２８を第１アーム２４に取着する。これにより、開口２４Ａはフィルタ２８によって覆われる。
次に、図８に示すように、一対の第１アーム２４をケース１０２の上方に起立させ、第２アーム２６を一対の第１アーム２４の先端から上方に起立させた起立状態とする。
この状態で、シャッターボタン１１０が押下され発光素子１２が発光すると、ストロボ窓１１からフレネルレンズ１６を介して出射された補助光は、フィルタ２８を透過することで色が与えられて被写体に照射され撮影がなされる。
【００１８】
本実施例によれば、反射機構２０にフィルタ２８を取着することにより、補助光に色を与えることができるので、光に色を与えた状態での撮影を行なうことができる。
フィルタ２８の色は種々のものを採用できるが、例えば被写体としての人物の肌色に赤味がかかるような効果を与える色を用いることで、撮影された被写体の肌が美しく撮影できるといった効果を得ることができる。
なお、フィルタ２８は光に色を与える機能に限定されるものではなく、補助光の性質を変化させる機能を有していればよく、例えば、光の照射角度を広く拡散させたり、あるいは狭く収束させたりする機能を有するものであってもよい。
【実施例３】
【００１９】
次に本発明の実施例３について図面を参照して説明する。
実施例３が実施例１と異なる点は、反射機構がケース１０２の内部に組み込まれている点である。
図９は実施例３における撮像装置１００の斜視図、図１０は反射機構２０の構成を示す斜視図、図１１は撮像装置の動作説明図である。
図９に示すように、撮像装置１００のケース１０２の左右方向の中間箇所にはケース１０２の前面上部から上面前部にわたって開口１３０が形成されている。
図１１（Ｂ）に示すように、ケース１０２の内部で開口１３０に臨む箇所にストロボ装置１０が配設されている。
開口１３０のうち前方に面した箇所には実施例１と同様にフレネルレンズ１６が組み込まれ固定されている。また、開口１３０のうちフレネルレンズ１６の上端から上方に面した箇所の全域にわたる箇所には光が透過可能な材料、例えば透明、半透明、あるいは乳白色の材料から構成された透明板１７が組み込まれ固定されている。
反射鏡１４は、開口１３０に臨むケース１０２の内部に配設され、側方から見て発光素子１２の後方、下方、前方にわたって放物面を描くように延在し、また、前方から見て反射素子１２の左右の側方を覆うように延在することにより、発光素子１２で発光された補助光を反射することで透明板１７を介してケース１０２のほぼ上方に導くように構成されている。
すなわち、ストロボ装置１０は、ケース１０２内において補助光がケース１０２の上方に照射されるように配置されている。
ケース１０２内において、ストロボ装置１０の上方には、すなわち補助光の光路上には反射ミラー２２を含む反射機構２０が設けられている。
反射ミラー２２は、左右方向に長辺が延在する長方形板状に形成され、全反射面からなる反射面２２Ａを有している。
反射ミラー２２は、その長辺の一辺が左右方向に延在する支軸２２０２に取着され、該支軸２２０２はケース１０２に設けられた不図示の軸受部により揺動可能に支持されている。
支軸２２０２の左端部はケース１０２の左側面の外方に突出する位置まで延在され、該左端部にはつまみ２２０４が設けられている。
図１１（Ａ）に示すように、つまみ２２０４を所定方向に回動することにより、反射ミラー２２は、反射面２２Ａを補助光の光路上に位置させて補助光を前方に反射させフレネルレンズ１６を介して被写体に向けて照射する通常位置に移動される。
また、図１１（Ｂ）に示すように、つまみ２２０４を前記所定方向と反対方向に回動することにより、反射ミラー２２は、補助光の光路上から退避して補助光を透明板１７を介してケース１０２の上方に照射させるバウンス位置に移動される。
なお、支軸２２０２と前記軸受部との結合箇所には、反射ミラー２２を揺動させた際にその揺動状態が保持される程度の保持力が付与されている。この保持力は、例えば支軸２２０２と前記軸受部との嵌め合いにより生じる摩擦力や、あるいはクリック機構など、従来公知の様々な構造により付与される。
本実施例では、支軸２２０２、つまみ２２０４によって特許請求の範囲の移動機構が構成されている。
【００２０】
次に本実施例の撮像装置１００の作用について説明する。
ストロボ装置１０から照射される補助光を被写体に直接照射して撮影する場合には、図１１（Ａ）に示すように、反射ミラー２２を前記通常位置に移動させる。
この状態で、シャッターボタン１１０が押下され発光素子１２が発光すると、ストロボ装置１０から出射された補助光は、反射ミラー２２の反射面２２Ａで反射されケース１０２の前方に照射され、フレネルレンズ１６を介して被写体に直接照射される。
【００２１】
ストロボ装置１０から照射される補助光をバウンスさせて被写体に間接的に照射して撮影する場合には、図１１（Ｂ）に示すように、反射ミラー２２を前記バウンス位置に移動させる。
この状態で、シャッターボタン１１０が押下され発光素子１２が発光すると、ストロボ装置１０出射された補助光は、透明窓１７を介してケース１０２の上方に照射され、該照射された補助光は、いったん天井などに反射されることにより間接光として被写体に照射され、これによりバウンス撮影がなされる。
【００２２】
本実施例によれば、反射ミラー２２を補助光の光路上に位置させて前記補助光を前記被写体に向けて反射する通常位置と、前記補助光の光路上から退避させて前記補助光をケースの上方に照射させるバウンス位置とにわたって移動させる移動機構を設けたので、実施例１と同様に、従来のようにバウンス効果を得るためにストロボ装置１０を機械的に動かす場合に比べて構造を簡素化でき、部品コストを削減する上で有利となり、また、反射機構２０は大きなスペースを占有することがないため、撮像装置１００の小型化を図る上で有利となる。また、移動機構を含む反射機構２０がケース１０２内部に設けられているため、ケース１０２の美観およびデザイン性を高める上で有利となる。
また、一般的にストロボ装置１０の反射鏡１４は、その補助光の出射方向における寸法が、出射方向と直交する方向における寸法に比較して長い。本実施例では、ストロボ装置１０はケース１０２内において補助光がケース１０２の上方に照射されるように、すなわち反射鏡１４が上方を向いて配置されているので、ストロボ装置１０がケース１０２内に占有する前後方向のスペースが少なくて済み、ケース１０２の前後方向の寸法を削減する上で有利となる。
なお、前記移動機構は手動で動かされるものに限られるものではなく、ソレノイド、プランジャ、モータなど任意のアクチュエータを用いて構成されるものであってもよいことは勿論である。
【実施例４】
【００２３】
次に本発明の実施例４について図面を参照して説明する。
実施例４が実施例３と異なる点は、反射機構が３つの反射面を有する回転体を有している点である。
図１２は実施例４における撮像装置１００の斜視図、図１３は反射機構２０の構成を示す斜視図、図１４は撮像装置の動作説明図である。
【００２４】
図１２に示すように、撮像装置１００のケース１０２の前面上部にはストロボ窓１１が設けられ、該ストロボ窓１１にはフレネルレンズ１６が組み込まれ固定されている。
図１３、図１４に示すように、ストロボ装置１０はケース１０２内において補助光がケース１０２の上方に照射されるように配置され、前記補助光を前記被写体に向けて反射させる反射機構２０がケース１０２内でストロボ装置１０の上方に設けられている。
反射機構２０は、複数の反射面を有する回転体３０と、回転体３０を回転させる回転機構とで構成されている。
本実施例では、回転体３０は、左右方向に延在し３つの反射面を有する三角柱状を呈し、３つ反射面はそれぞれ左右に横長の長方形状を呈している。
３つの反射面のうちの１つは光を全反射する鏡面３００２として形成され、他の１つは光を拡散して反射する拡散面３００４として形成され、残りの１つはミラーボールの表面と同様に細かい複数の反射光を反射するミラーボール効果を有する特殊効果反射面３００６として形成されている。
回転体３０はその軸心を貫通する支軸３２を有し、支軸３２はケース１０２に設けられた不図示の軸受部により回転可能に支持されている。
支軸３２の左端部はケース１０２の左側面の外方に突出する位置まで延在され、該左端部にはつまみ３４が設けられている。
つまみ３４が回動されることにより鏡面３００２、拡散面３００４、特殊効果反射面３００６の何れか１つが前記補助光の光路上に位置され、前記補助光の光路上に位置した反射面によって補助光が前方に反射されフレネルレンズ１６を介して被写体に向けて照射されるように構成されている。
なお、支軸３２と前記軸受部との結合箇所には、３つの反射面が順次補助光の光路上に位置した際に、補助光を前方のフレネルレンズ１６に向けて反射させるように、これらの反射面が位置決め保持される。この保持力は、例えば支軸２２０２と前記軸受部との間に設けられたクリック機構など、従来公知の様々な構造により付与される。
本実施例では、支軸３２、つまみ３４によって特許請求の範囲の回転機構が構成されている。
【００２５】
次に本実施例の撮像装置１００の作用について説明する。
ストロボ装置１０から照射される補助光を被写体に直接照射して撮影する場合には、図１３、図１４に示すように、つまみ３４を回動して反射体３０の３つの反射面のうち鏡面３００２を前記補助光の光路上に位置させる。
この状態で、シャッターボタン１１０が押下され発光素子１２が発光すると、ストロボ装置１０から出射された補助光は、鏡面３００２で反射されケース１０２の前方に照射され、フレネルレンズ１６を介して被写体に直接照射される。
【００２６】
ストロボ装置１０から照射される補助光を拡散させて被写体に照射して撮影する場合には、図１３、図１４に示すように、つまみ３４を回動して反射体３０の３つの反射面のうち拡散面３００４を前記補助光の光路上に位置させる。
この状態で、シャッターボタン１１０が押下され発光素子１２が発光すると、ストロボ装置１０から出射された補助光は、拡散面３００４で拡散して反射されケース１０２の前方に照射され、フレネルレンズ１６を介して被写体に拡散光として照射される。
【００２７】
ストロボ装置１０から照射される補助光にミラーボール効果を与えて被写体に照射して撮影する場合には、図１３、図１４に示すように、つまみ３４を回動して反射体３０の３つの反射面のうち特殊効果反射面３００６を前記補助光の光路上に位置させる。
この状態で、シャッターボタン１１０が押下され発光素子１２が発光すると、ストロボ装置１０から出射された補助光は、特殊効果反射面３００６で反射されケース１０２の前方に照射され、フレネルレンズ１６を介して被写体にミラーボール効果を与えられた細かい複数の反射光として照射される。
【００２８】
本実施例によれば、鏡面３００２および拡散面３００４を有する回転体３０と、回転体３０を回転させる回転機構とで構成された反射機構２０を設けたので、ストロボ装置１０からの補助光を直接被写体に照射して比較的コントラストの強い照明効果を得ることができる状態と、ストロボ装置１０からの補助光を拡散光として被写体に照射し比較的コントラストの弱いバウンス効果と類似のソフトな照明効果を得ることができる状態との切り換えを簡素な構成で実現することができ、部品コストを削減する上で有利となり、また、回転体および回転機構は大きなスペースを占有することがないため、撮像装置の小型化を図る上で有利となる。また、回転体および回転機構がケース内部に設けられているため、ケースの美観およびデザイン性を高める上で有利となる。
また、回転体３０の反射面のうちの１つを特殊効果反射面３００６とすることにより、通常のストロボ装置の補助光では得ることができない補助光を被写体に照射することができ新規な撮影効果を得ることができる。
なお、回転体３０に設ける反射面の数は３つに限定されるものではなく、２つあるいは４つ以上であってもかまわない。
また、回転体３０の特殊効果反射面３００６はミラーボール効果を与えるものに限らず、補助光の性質を変化させることができるものであればよく、例えば反射光に色を与えることができる着色された反射面であってもよい。
なお、前記回転機構は手動で動かされるものに限られるものではなく、ソレノイド、プランジャ、モータなど任意のアクチュエータを用いて構成されるものであってもよいことは勿論である。
【実施例５】
【００２９】
次に本発明の実施例５について図面を参照して説明する。
実施例５が実施例３と異なる点は、反射ミラーに代えてハーフミラーおよび液晶素子を含む光路変換手段を用いている点である。
図１５は実施例５における撮像装置の動作説明図である。
図１５（Ａ）に示すように、撮像装置１００のケース１０２に実施例３と同様に開口１３０が形成され、ケース１０２の内部で開口１３０に臨む箇所にストロボ装置１０が配設され、開口１３０にはフレネルレンズ１６および透明板１７が組み込まれ固定されている。
また、ストロボ装置１０は、ケース１０２内において補助光がケース１０２の上方に照射されるように配置されている。
ケース１０２内において、ストロボ装置１０の上方には、すなわち補助光の光路上には、光路変換手段４０が設けられている。
光路変換手段４０は互いに同形同大のハーフミラー４２と液晶素子４４とを有している。
ハーフミラー４２は、その表面をストロボ装置１０に向けて配設され該表面で前記補助光のうち一部を反射させフレネルレンズ１６を介して被写体に向けて照射させ、前記補助光の残りを前記表面から裏面へ透過させケース１０２の上方に照射させるように構成されている。
液晶素子４４はハーフミラー４２の裏面側に配設され、液晶駆動回路４６から供給される駆動信号によって、光を透過させる透明状態と、光を透過させない不透明状態とに切り換えられるように構成されている。
液晶駆動回路４６は、ケース１０２内に組み込まれており制御部１２６の制御に基づいて液晶素子４４の透明状態と不透明状態とを切り換えるように構成されている。
【００３０】
次に本実施例の撮像装置１００の作用について説明する。
ストロボ装置１０から照射される補助光を被写体に直接照射して撮影する場合には、操作スイッチ１１４を操作することにより補助光の直接照射による撮影を行なう旨を制御部１２６に指示する。これにより、制御部１２６は液晶駆動回路４６を制御して液晶素子４４を不透明状態にさせる。
この状態で、シャッターボタン１１０が押下され発光素子１２が発光すると、ストロボ装置１０から出射された補助光は、ハーフミラー４２の表面に至りその一部は該表面で反射されケース１０２の前方に照射されフレネルレンズ１６を介して被写体に直接照射される。ストロボ装置１０から出射された補助光の残りはハーフミラー４２の裏面に至るが液晶素子４４は不透明状態であるため液晶素子４４を透過しない。
【００３１】
ストロボ装置１０から照射される補助光をバウンスさせて被写体に間接的に照射して撮影する場合には、操作スイッチ１１４を操作することによりバウンス撮影を行なう旨を制御部１２６に指示する。これにより、制御部１２６は液晶駆動回路４６を制御して液晶素子４４を透明状態にさせる。
この状態で、シャッターボタン１１０が押下され発光素子１２が発光すると、ストロボ装置１０から出射された補助光は、ハーフミラー４２の表面に至りその一部は該表面で反射されケース１０２の前方に照射されフレネルレンズ１６を介して被写体に直接照射される。さらに、ストロボ装置１０から出射された補助光の残りはハーフミラー４２の裏面から透明状態の液晶素子４４を透過し透明板１７を介してケース１０２の上方に照射され、該照射された補助光は、いったん天井などに反射されることにより間接光として被写体に照射される。すなわち、補助光の一部は直接被写体に照射されるとともに、補助光の残りはバウンスされて被写体に照射される。すなわち、被写体に対して直接照射される補助光と、バウンスして照射される補助光との双方を同時に発生させることができる。
【００３２】
本実施例によれば、補助光の光路上に、ハーフミラー４２と液晶素子４４とを有する光路変換手段４０を設け、液晶素子４４を、光を透過させる透明状態と、光を透過させない不透明状態とに切り換えられるように構成したので、ストロボ装置１０からの補助光を直接被写体に照射する状態と、被写体に対して直接照射される補助光と、バウンスして照射される補助光との双方を同時に発生させる状態とを切り換えることができる。
これにより、実施例１と同様に、従来のようにバウンス効果を得るためにストロボ装置１０を機械的に動かす場合に比べて構造を簡素化でき、部品コストを削減する上で有利となり、また、光路変換手段４０は大きなスペースを占有することがないため、撮像装置１００の小型化を図る上で有利となる。
また、光路変換手段４０がケース１０２内部に設けられているため、ケース１０２の美観およびデザイン性を高める上で有利となる。
また、被写体に対して直接照射される補助光と、バウンスして照射される補助光との双方を同時に発生させることにより、単なるバウンス撮影では得ることができない新規な撮影効果を得ることができる。
なお、液晶素子４４を透過した補助光を２つ以上に分離するミラーあるいはプリズムなどの光路分離手段を付加することにより、液晶素子４４を透過した補助光の進行方向を２つ以上に分けることもできる。前記光路分離手段で分離された補助光の進行方向はケース１０２の上方に限られるものではなく、ケース１０２の前方や側方あるいは後方としてもよい。このように液晶素子４４を透過した補助光を２つ以上に分離すれば、広範囲にわたって補助光を照射することができる効果がある。
また、本実施例においても実施例３と同様に、ストロボ装置１０の反射鏡１４が上方を向いて配置されているので、ストロボ装置１０がケース１０２内に占有する前後方向のスペースが少なくて済み、ケース１０２の前後方向の寸法を削減する上で有利となる。
【００３３】
なお、上述した各実施例においては、撮像装置としてデジタルカメラを例示したが、本発明はビデオカメラ、フィルム式カメラなど種々の撮像装置に適用可能である。なお、フィルム式カメラの場合、前記撮像部はフィルムによって構成されることになる。
【図面の簡単な説明】
【００３４】
【図１】実施例１の撮像装置を前方から見た斜視図である。
【図２】反射機構の斜視図である。
【図３】ストロボ装置の斜視図である。
【図４】撮像装置の動作説明図である。
【図５】撮像装置の制御系を示すブロック図である。
【図６】実施例２における反射機構の斜視図である。
【図７】フィルタの斜視図である。
【図８】フィルタの使用説明図である。
【図９】実施例３における撮像装置の斜視図である。
【図１０】反射機構２０の構成を示す斜視図である。
【図１１】撮像装置の動作説明図である。
【図１２】実施例４における撮像装置の斜視図である。
【図１３】反射機構の構成を示す斜視図である。
【図１４】撮像装置の動作説明図である。
【図１５】実施例５における撮像装置の動作説明図である。
【符号の説明】
【００３５】
１００……撮像装置、１０２……ケース、１０４……撮影光学系、１１６……撮像素子、１０……ストロボ装置、２０……反射機構、３０……回転体、４０……光路変換手段。
【図１】
2005070303.tif 000003
【図２】
2005070303.tif 000004
【図３】
2005070303.tif 000005
【図４】
2005070303.tif 000006
【図５】
2005070303.tif 000007
【図６】
2005070303.tif 000008
【図７】
2005070303.tif 000009
【図８】
2005070303.tif 000010
【図９】
2005070303.tif 000011
【図１０】
2005070303.tif 000012
【図１１】
2005070303.tif 000013
【図１２】
2005070303.tif 000014
【図１３】
2005070303.tif 000015
【図１４】
2005070303.tif 000016
【図１５】
2005070303.tif 000017